(57)【特許請求の範囲】
【請求項１】
通信において装置からデータを送信するまたは前記装置においてデータを受信するために複数のスペクトル拡散チャネルをサポートするための装置であって、
前記複数のスペクトル拡散チャネルの第１および第２のスペクトル拡散チャネルをサポートするように構成される処理システムと、前記第１および第２のチャネルの各々は、異なる擬似ランダムシーケンスに基づき、ここにおいて、前記処理システムは、それらの擬似ランダムシーケンスに基づいて前記処理システムにおける情報の衝突が生じると決定した場合に、通信のための前記第１および第２のチャネルのうちの１つを選択するようにさらに構成される、ここにおいて、前記情報の衝突は、前記第１および第２のチャネルのフレーム内のパルスの位置により、前記フレームの間に前記第１および第２のチャネル上で情報を復号できないときに生じる、を具備する装置。
【請求項２】
前記処理システムは、前記第１および第２のチャネルの前記スペクトルを拡散するために周波数ホッピングを使用するようにさらに構成されており、前記第１および第２のチャネルの各々に関する前記周波数ホッピングは、それのそれぞれの擬似ランダムシーケンスに基づく、請求項１に記載の装置。
【請求項３】
前記処理システムは、前記第１および第２のチャネルの前記スペクトルを拡散するためにタイム・ホッピングを使用するようにさらに構成されており、前記第１および第２のチャネルの各々に関する前記タイム・ホッピングは、それのそれぞれの擬似ランダムシーケンスに基づく、請求項１に記載の装置。
【請求項４】
前記処理システムは、前記第１および第２のチャネルの前記スペクトルを拡散するために２値パルス位置変調によるタイム・ホッピングを使用するようにさらに構成される、請求項３に記載の装置。
【請求項５】
前記処理システムは、前記第１のチャネルが送信するようにスケジュールされ、前記第２のチャネルが受信するようにスケジュールされている場合、選択しなければ、前記第１および第２のチャネル上の前記情報が衝突するときには、前記第１のチャネルを選択するようにさらに構成されている、請求項１に記載の装置。
【請求項６】
前記処理システムは、前記第１のチャネルが前記第２のチャネルよりも高いサービス品質要求を有する場合、前記第１のチャネルを選択するようにさらに構成される、請求項１に記載の装置。
【請求項７】
前記処理システムは、前記第１のチャネルが音声を含み、前記第２のチャネルがデータを含む場合、選択しなければ、前記第１および第２のチャネル上の前記情報が衝突し得るときには、前記第１のチャネルを選択するようにさらに構成される、請求項１に記載の装置。
【請求項８】
前記処理システムは、前記第１のチャネルが送信の肯定応答を含み、前記第２のチャネルが送信の肯定応答を含まない場合、前記第１のチャネルを選択するようにさらに構成される、請求項１に記載の装置。
【請求項９】
前記処理システムは、少なくとも１つの公平基準に基づいて前記第１および第２のチャネルのうちの前記１つを選択するようにさらに構成される、請求項１に記載の装置。
【請求項１０】
前記処理システムは、前記第１のチャネルが前記第２のチャネルより高い優先順位を有する場合、前記第１のチャネルを選択するようにさらに構成される、請求項１に記載の装置。
【請求項１１】
通信においてワイヤレス・ノードからデータを送信するまたは前記ワイヤレス・ノードにおいてデータを受信するために複数のスペクトル拡散チャネルをサポートするための方法であって、
前記複数のスペクトル拡散チャネルの第１および第２のスペクトル拡散チャネルをサポートすることと、前記第１および第２のチャネルの各々は、異なる擬似ランダムシーケンスに基づき、および
それらの擬似ランダムシーケンスに基づいて前記ワイヤレス・ノード内で情報の衝突が生じると決定された場合に、通信のための前記第１および第２のチャネルのうちの１つを選択することと、
ここにおいて、前記情報の衝突は、前記第１および第２のチャネルのフレーム内のパルスの位置により、前記フレームの間に前記第１および第２のチャネル上で情報を復号できないときに生じる、
を具備する方法。
【請求項１２】
前記第１および第２のチャネルの前記スペクトルを拡散するために周波数ホッピングを使用することをさらに具備し、前記第１および第２のチャネルの各々に関する前記周波数ホッピングは、それのそれぞれの擬似ランダムシーケンスに基づく、請求項１１に記載の方法。
【請求項１３】
前記第１および第２のチャネルの前記スペクトルを拡散するためにタイム・ホッピングを使用することをさらに具備し、前記第１および第２のチャネルの各々に関する前記タイム・ホッピングは、それのそれぞれの擬似ランダムシーケンスに基づく、請求項１１に記載の方法。
【請求項１４】
タイム・ホッピングは、前記第１および第２のチャネルの前記スペクトルを拡散するために２値パルス位置変調により使用される、請求項１３に記載の方法。
【請求項１５】
前記第１のチャネルが送信するようにスケジュールされ、前記第２のチャネルが受信するようにスケジュールされている場合、選択しなければ、前記第１および第２のチャネル上の前記情報が衝突し得るときに、前記第１のチャネルが選択される、請求項１１に記載の方法。
【請求項１６】
前記第１のチャネルが前記第２のチャネルよりも高いサービス品質要求を有する場合、前記第１のチャネルが選択される、請求項１１に記載の方法。
【請求項１７】
前記第１のチャネルが音声を含み、前記第２のチャネルがデータを含む場合、選択しなければ、前記第１および第２のチャネル上の前記情報が衝突し得るときに、前記第１のチャネルが選択される、請求項１１に記載の方法。
【請求項１８】
前記第１のチャネルが送信の肯定応答を含み、前記第２のチャネルが送信の肯定応答を含まない場合、前記第１のチャネルが選択される、請求項１１に記載の方法。
【請求項１９】
前記第１および第２のチャネルのうちの前記１つは、少なくとも１つの公平基準に基づいて選択される、請求項１１に記載の方法。
【請求項２０】
前記第１のチャネルが前記第２のチャネルより高い優先順位を有する場合、前記第１のチャネルが選択される、請求項１１に記載の方法。
【請求項２１】
通信において装置からデータを送信するまたは前記装置においてデータを受信するために複数のスペクトル拡散チャネルをサポートするための装置であって、
前記複数の拡散スペクトル・チャネルの第１および第２のスペクトル拡散チャネルをサポートするための手段と、前記第１および第２のチャネルの各々は、異なる擬似ランダムシーケンスに基づき、および
それらの擬似ランダムシーケンスに基づいて前記処理システムにおいて情報の衝突が生じると決定された場合に、通信のための前記第１および第２のチャネルのうちの１つを選択するための手段と
ここにおいて、前記情報の衝突は、前記第１および第２のチャネルのフレーム内のパルスの位置により、前記フレームの間に前記第１および第２のチャネル上で情報を復号できないときに生じる、
を具備する装置。
【請求項２２】
第１および第２のスペクトル拡散チャネルをサポートするための前記手段は、前記第１および第２のチャネルの前記スペクトルを拡散するために周波数ホッピングを使用するように構成され、前記第１および第２のチャネルの各々に関する前記周波数ホッピングは、それのそれぞれの擬似ランダムシーケンスに基づく、請求項２１に記載の装置。
【請求項２３】
第１および第２のスペクトル拡散チャネルをサポートするための前記手段は、前記第１および第２のチャネルの前記スペクトルを拡散するためにタイム・ホッピングを使用するように構成され、前記第１および第２のチャネルの各々に関する前記タイム・ホッピングは、それのそれぞれの擬似ランダムシーケンスに基づく、請求項２１に記載の装置。
【請求項２４】
第１および第２のスペクトル拡散チャネルをサポートするための前記手段は、前記第１および第２のチャネルの前記スペクトルを拡散するために２値パルス位置変調によるタイム・ホッピングを使用するようにさらに構成される、請求項２３に記載の装置。
【請求項２５】
前記第１および第２のチャネルのうちの１つを選択するための前記手段は、前記第１のチャネルが、送信するようにスケジュールされ、前記第２のチャネルが、受信するようにスケジュールされている場合、選択しなければ、前記第１および第２のチャネル上の前記情報が衝突し得るときには、前記第１のチャネルを選択するように構成される、請求項２１に記載の装置。
【請求項２６】
前記第１および第２のチャネルのうちの１つを選択するための前記手段は、前記第１のチャネルが前記第２のチャネルよりも高いサービス品質要求を有する場合、前記第１のチャネルを選択するように構成される、請求項２１に記載の装置。
【請求項２７】
前記第１および第２のチャネルのうちの１つを選択するための前記手段は、前記第１のチャネルが音声を含み、前記第２のチャネルがデータを含む場合、選択しなければ、前記第１および第２のチャネル上の前記情報が衝突し得るときには、前記第１のチャネルを選択するように構成される、請求項２１に記載の装置。
【請求項２８】
前記第１および第２のチャネルのうちの１つを選択するための前記手段は、前記第１のチャネルが送信の肯定応答を含み、および前記第２のチャネルが送信の肯定応答を含まない場合、前記第１のチャネルを選択するように構成される、請求項２１に記載の装置。
【請求項２９】
前記第１および第２のチャネルのうちの１つを選択するための前記手段は、少なくとも１つの公平基準に基づいて前記第１および第２のチャネルのうちの前記１つを選択するように構成される、請求項２１に記載の装置。
【請求項３０】
前記第１および第２のチャネルのうちの１つを選択するための前記手段は、前記第１のチャネルが前記第２のチャネルよりも高い優先順位を有する場合、前記第１のチャネルを選択するように構成される、請求項２１に記載の装置。
【請求項３１】
ワイヤレス通信のためのプログラムであって、
少なくとも１つのプロセッサに、請求項１１乃至２０のいずれか１項の手順を実施させるための、コードを具備するプログラム。
【請求項３２】
ヘッドセットからデータを送信するまたは前記ヘッドセットにおいてデータを受信するために複数のスペクトル拡散チャネルをサポートするためのヘッドセットであって、
前記複数のスペクトル拡散チャネルの第１および第２のスペクトル拡散チャネルをサポートするように構成される処理システムと、前記第１および第２のチャネルの各々は、異なる擬似ランダムシーケンスに基づき、ここにおいて、前記処理システムは、それらの擬似ランダムシーケンスに基づいて前記処理システムにおいて情報の衝突が生じると決定した場合に、通信のための前記第１および第２のチャネルのうちの１つを選択するようにさらに構成され、ここにおいて、前記情報の衝突は、前記第１および第２のチャネルのフレーム内のパルスの位置により、前記フレームの間に前記第１および第２のチャネル上で情報を復号できないときに生じる、および
前記第１および第２のチャネルのうちの少なくとも１つからの情報に基づいてオーディオ出力を提供するように構成されるトランスデューサと
を具備するヘッドセット。
【請求項３３】
時計からデータを送信するまたは前記時計においてデータを受信するために複数のスペクトル拡散チャネルをサポートするための時計であって、
前記複数のスペクトル拡散チャネルの第１および第２のスペクトル拡散チャネルをサポートするように構成される処理システムと、前記第１および第２のスペクトル拡散チャネルの各々は、異なる擬似ランダムシーケンスに基づき、ここにおいて、前記処理システムは、それらの擬似ランダムシーケンスに基づいて前記処理システムにおいて情報の衝突が生じると決定した場合に、通信のための前記第１および第２のチャネルのうちの１つを選択するようにさらに構成され、ここにおいて、前記情報の衝突は、前記第１および第２のチャネルのフレーム内のパルスの位置により、前記フレームの間に前記第１および第２のチャネル上で情報を復号できないときに生じる、および
前記第１および第２のチャネルのうちの少なくとも１つからの情報に基づいて指示を提供するように構成されるユーザ・インターフェースと
を具備する時計。
【請求項３４】
ワイヤレス通信においてセンシング・デバイスからデータを送信するまたは前記センシング・デバイスにおいてデータを受信するために複数の拡散スペクトル・チャネルをサポートするためのセンシング・デバイスであって、
前記複数の拡散スペクトル・チャネルの第１および第２のスペクトル拡散チャネルをサポートするように構成される処理システムと、前記第１および第２のチャネルの各々は、異なる擬似ランダムシーケンスに基づき、ここにおいて、前記処理システムは、それらの擬似ランダムシーケンスに基づいて前記処理システムにおいて情報の衝突が生じると決定した場合に、通信のための前記第１および第２のチャネルのうちの１つを選択するようにさらに構成され、ここにおいて、前記情報の衝突は、前記第１および第２のチャネルのフレーム内のパルスの位置により、前記フレームの間に前記第１および第２のチャネル上で情報を復号できないときに生じる、および
前記第１および第２のチャネルのうちの少なくとも１つへ情報を提供するように構成されるセンサと
を具備する、センシング・デバイス。
【発明の詳細な説明】
【技術分野】
【０００１】
本開示は、一般に、ワイヤレス通信に関係し、より詳細には、ワイヤレス・ノードによってサポートされる複数のワイヤレス接続上で通信される情報が衝突しない確率を低減するための様々な技術に関係する。
【背景技術】
【０００２】
ピア・ツー・ピア・ネットワークは、ワイヤレス・ノードを接続するために一般に使用される。これらのネットワークは、セントラル・サーバと通常通信する従来のクライアント・サーバ・モデルと異なる。ピア・ツー・ピア・ネットワークは、互いに直接通信する同等のピア・ノードのみを有する。そのようなネットワークは、多くの目的に役立つ。ピア・ツー・ピア・ネットワークは、例えば、短距離または室内のアプリケーションのための消費者向け電子機器の有線置換えシステム(consumer electronic wire replacement system)として使用されることができる。これらのネットワークは、ワイヤレス・パーソナル・エリア・ネットワーク（WPAN）としばしば呼ばれ、ネットワークにおけるワイヤレス・ノード間でビデオ、オーディオ、音声、テキスト、および他のメディアを効率的に伝送するために有効である。
【０００３】
WPANにおいて場合によっては、密集したマルチパス環境における短距離の通信をサポートするために超広帯域(UWB)無線技術がしばしば使用される。UWBは、非常に広い帯域幅にわたって高速通信を提供するための技術である。UWB信号は、非常に小さい電力を消費する非常に短いパルスで送信されるので、この技術は、複数のリンクをサポートすることができるワイヤレス・ノードにうまく適合する。しかしながら、このようにして構成されるワイヤレス・ノードは、複数のリンク上で通信する情報が衝突する状況を経験し得る。したがって、当該技術分野において、複数のリンクをサポートすることができるワイヤレス・ノードにおける衝突の確率を低減するためのニーズがある。
【発明の概要】
【０００４】
本開示の態様において、通信のための装置は、第１および第２のスペクトル拡散チャネルをサポートするように構成される処理システムと、前記第１および第２のチャネルの各々は、異なる擬似ランダムシーケンスに基づき、ここにおいて、前記処理システムは、選択しなければ、それらの擬似ランダムシーケンスに基づいて生じ得る情報の衝突を回避するために通信のための前記第１および第２のチャネルのうちの１つを選択するようにさらに構成される、を含む。
【０００５】
本開示の他の態様において、通信のための方法は第１および第２のスペクトル拡散チャネルをサポートすることと、前記第１および第２のチャネルの各々は、異なる擬似ランダムシーケンスに基づき、および選択しなければ、それらの擬似ランダムシーケンスに基づいて生じ得る情報の衝突を回避するために通信のための前記第１および第２のチャネルのうちの１つを選択することとを含む。
【０００６】
さらに本開示の他の態様において、通信のための装置は、第１および第２のスペクトル拡散チャネルをサポートするための手段と、前記第１および第２のチャネルの各々は、異なる擬似ランダムシーケンスに基づき、および選択しなければ、それらの擬似ランダムシーケンスに基づいて生じ得る情報の衝突を回避するために通信のための前記第１および第２のチャネルのうちの１つを選択するための手段とを含む。
【０００７】
さらに本開示の態様において、ワイヤレス通信のためのコンピュータ・プログラム・プロダクトは、第１および第２のスペクトル拡散チャネルをサポートすることと、第１および第２のチャネルの各々は、異なる擬似ランダムシーケンスに基づき、および選択しなければ、それらの擬似ランダムシーケンスに基づいて生じ得る情報の衝突を回避するために通信のための前記第１および第２のチャネルのうちの１つを選択することとを少なくとも１つのプロセッサによって実行可能なコードを具備するコンピュータ可読媒体を含む。
【０００８】
さらに本開示のさらなる態様において、ヘッドセットは、第１および第２のスペクトル拡散チャネルをサポートするように構成される処理システムと、第１および第２のチャネルの各々は、異なる擬似ランダムシーケンスに基づき、ここにおいて、前記処理システムは、選択しなければ、それらの擬似ランダムシーケンスに基づいて生じ得る情報の衝突を回避するために通信のための前記第１および第２のチャネルのうちの１つを選択するようにさらに構成される、および前記第１および第２のチャネルのうちの少なくとも１つからの情報に基づいてオーディオ出力を提供するように構成されるトランスデューサとを含む。
【０００９】
本開示の他の態様において、時計は、第１および第２のスペクトル拡散チャネルをサポートするように構成される処理システムと、前記第１および第２のチャネルの各々は、異なる擬似ランダムシーケンスに基づき、ここにおいて、前記処理システムは、選択しなければ、それらの擬似ランダムシーケンスに基づいて生じ得る情報の衝突を回避するために通信のための前記第１および第２のチャネルのうちの１つを選択するようにさらに構成される、および前記第１および第２のチャネルのうちの少なくとも１つからの情報に基づいて指示を提供するように構成されるユーザ・インターフェースとを含む。
【００１０】
さらに本開示の他の態様において、センシング・デバイスは、第１および第２のスペクトル拡散チャネルをサポートするように構成される処理システムと、前記第１および第２のチャネルの各々は、異なる擬似ランダムシーケンスに基づき、ここにおいて、前記処理システムは、選択しなければ、それらの擬似ランダムシーケンスに基づいて生じ得る情報の衝突を回避するために通信のための前記第１および第２のチャネルのうちの１つを選択するようにさらに構成される、および前記第１および第２のチャネルのうちの少なくとも１つへ情報を提供するように構成されるセンサとを含む。
【００１１】
本開示の他の態様は、以下の詳細な説明から当業者に直ちに明白になることが理解される。ここにおいて、異種のワイヤレス・アッドホック・ネットワークの様々な態様が例示として図示され、説明される。認識されるように、本開示のこれらの態様は、他のおよび異なる構成において実装されることができ、およびそれのいくつかの詳細は、様々な他の考慮において修正することができる。したがって、図面および詳細な説明は、制限としてではなく実質的に例示されるものとして見なされるべきである。
【図面の簡単な説明】
【００１２】
【図１】図１は、ワイヤレス・ネットワークの一例を例示する概念図である。
【図２】図２は、BPPMスペクトル拡散インパルス無線UWB通信の一例を例示するタイミング図である。
【図３】図３は、ワイヤレス・ノードにおける処理システムの一例を例示する概念図である。
【図４】図４は、送信ノードと受信ノードとの間の２つのスペクトル拡散チャネルの一例を例示するタイミング図である。
【図５】図５は、ワイヤレス・ノードの機能性の一例を例示する概念図である。
【００１３】
一般的実務にしたがって、いくつかの図面は、明確さのために簡略化されることができる。したがって、図面は、方法または所与の装置（例えば、デバイス）のコンポーネントのすべてを図示しなくてもよい。最後に、詳細な説明および図面の全体にわたって同様の特徴を示すために同様の参照数字が使用され得る。
【発明の詳細な説明】
【００１４】
本発明の様々な態様は、添付の図面を参照して以下でより十分に説明される。しかしながら、この発明は、多くの異なる形式で実施されることができ、本開示の全体にわたって提示される任意の特定の構造または機能に制限されると解釈されるべきではない。むしろ、これらの態様が提供されることによって、本開示は、完全(thorough and complete)となり、本発明の範囲を当業者に十分に伝えるだろう。本明細書における教示に基づいて、当業者は、独立に実装されようと本発明の任意の他の態様と組み合わせて実装されようと、本発明の範囲が本明細書において開示された発明の任意の態様をカバーするよう意図されることを認識するべきである。例えば、本明細書において述べられる任意の数の態様を使用して装置が実装されることができ、または方法が実施されることができる。加えて、本発明の範囲は、本明細書において述べられる発明の様々な態様に加えて、またはそれ以外に他の構造、機能性、または構造および機能性を使用して実施されるそのような装置および方法をカバーするよう意図される。本明細書において開示される発明の任意の態様は、特許請求の範囲の１つまたは複数のエレメントによって具体化されることができることが理解されるべきである。
【００１５】
ネットワークのいくつかの態様は、図１を参照してこれから提示される。ネットワーク１００は、いくつかのワイヤレス・ノードによって形成されるピア・ツー・ピア・ネットワークまたはワイヤレス・ノードによって複数のリンク上で通信する情報が衝突し得る任意の他のネットワークであってもよい。ネットワーク１００は、様々な他のノードと通信状態にあるラップトップ・コンピュータ１０２をともなうWPANとして図示されるが、家庭、オフィス、または建物のような小さい地理的エリアをカバーするワイヤレス・ローカル・エリア・ネットワーク（WLAN）として、または比較的広い地理的領域（つまり、地域、全国、または全地球の領域）をカバーするワイヤレス広域ネットワーク（WWAN）としても実装されることができる。この事例において、コンピュータ１０２は、デジタルカメラ１０４からデジタル写真を受信し、プリントするためにプリンタ１０６へドキュメントを送信し、携帯情報端末（PDA）１０８上のeメールと同期化し、デジタル・オーディオ・プレイヤー（例えば、MP３プレイヤー）１１０へ音楽ファイルを伝送し、データおよびファイルをモバイル記録デバイス１１２へバックアップし、およびワイヤレス・ハブ１１４を通して遠隔ネットワーク（例えば、インターネット）と通信することができる。ネットワーク１００はまた、身に付けることができるかまたは人間の体に埋め込まれるかのいずれかのいくつかのモバイルおよびコンパクト・ノードを含むことができる。一例として、人は、コンピュータ１０２から、ストリームされるオーディオを受信するヘッドセット１１６（例えば、ヘッドホン、イヤホンなど）、コンピュータ１０２によって設定される時計１１８、および／またはバイタル身体パラメータをモニタするセンサ１２０（例えば、バイオメトリック・センサ、心拍数モニタ、歩数計、およびEKGデバイスなど）を身に付けていてもよい。センサ１２０は、人の身体からの情報をコンピュータ１０２へ送信する。ここで、当該情報は、ワイヤレス・ハブ１１４を通して医療施設（例えば、病院、クリニックなど）へ転送されることができる。
【００１６】
ネットワークは、ノード間のワイヤレス・リンクをサポートするために様々な無線技術で実装されることができる。インパルス無線（UWBの一形式）は、図１において図示されるWPANネットワークにおいて場合によっては、密集したマルチパス環境における短距離通信にうまく適合される無線技術である。インパルス無線は、各々のパルスが非常に短い持続時間を有する低デューティ・サイクルのパルストレインで通信する。したがって、超広帯域信号という結果となる。この技術を実装するネットワークは、しばしば干渉信号に対処しなければならず、専用の帯域において作動する狭帯域システムとの干渉を回避するよう設計されるべきである。これは、スペクトル拡散技術の使用を必要とする。スペクトル拡散技術の事例は、ダイレクト・シーケンス、周波数ホッピング、およびタイム・ホッピングを含む。スペクトルを拡散するための一般的な技術は、パルス位置変調によるタイム・ホッピングである。
【００１７】
これから、２値パルス位置変調（BPPM）によりインパルス無線UWBシステムのスペクトルを拡散するためにタイム・ホッピングを使用するネットワークを参照して、ワイヤレス・ノードの様々な態様が提示される。とはいえ、これらの態様は、他の無線技術および変調方式に適用されることができる。図２は、BPPMスペクトル拡散インパルス無線UWBシステムを例示するタイミング図である。この事例において、シンボルは、すべてのフレームにおいて送信される。１つまたは複数の「シンボル」は、一般に、順方向誤り訂正および／または座標マッピングを採用する通信システムにおけるデータビットを表すために使用されるが、「シンボル」という用語は、データビットまたは任意の他のデータ・ユニットも含むよう広く解釈されるべきである。フレームは、第１および第２の半分に分割され、各半分は、複数のタイム・スロットにさらに分割される。パルスは、シンボルが「０」である場合、フレームの第１の半分におけるあるタイム・スロットにおいて送信され、シンボルが「１」である場合、フレームの第２の半分におけるあるタイム・スロットにおいて送信される。図２を参照して、第１のパルス２０１は、「１」シンボル２２１を表すために第１のフレーム２１１の第２の半分において送信され、第２のパルス２０２は、「０」シンボル２２２を表すために第２のフレーム２１２の第１の半分において送信され、第３のパルス２０３は、「１」シンボル２２３を表すために第３のフレーム２１３の第２の半分において送信され、第４のパルス２０４は、「０」シンボル２２４を表すために第４のフレーム２１４の第１の半分において送信され、および第５のパルス２０５は、「０」シンボル２２５を表すために第５のフレーム２１５の第１の半分において送信される。
【００１８】
半分のフレーム内のパルスによって占有されるタイム・スロットは、擬似ランダムシーケンスによって変更されまたはランダム化される。図２において、第１のフレーム２１１の拡大された部分において図示されるように、各々の半分のフレームは、複数のタイム・スロットに分割される。この事例において、フレームの第１の半分２１１１において４個のタイム・スロット（T１-T４）があり、フレームの第２半分の２１１２において４個のタイム・スロット（T１-T４）がある。擬似ランダムシーケンスに基づいて、パルス２０１は、第２のタイム・スロットT２に割り当てられる。シンボルが「１」２２１であるので、パルス２０１は、フレームの第２の半分２１１２の第２のタイム・スロットT２において送信される。シンボルが「０」であるならば、パルス２０１は、フレームの第１の半分２１１１の第２のタイム・スロットT２において送信されるだろう。
【００１９】
図３は、ワイヤレス・ノードにおける処理システムの事例を例示する概念的ブロック図である。処理システム３００は、２つのスペクトル拡散チャネル３１０、３２０をサポートするよう図示されているが、特定のアプリケーションに依拠して任意の数のチャネルをサポートすることができる。
【００２０】
各々のチャネル３１０、３２０は、送信ノードのためのデータ・ソースおよび／または受信ノードのためのデータ・シンクを提供するデータ・エレメント３１１、３２１を含む。「受信ノード」という用語は、他のノードから情報を受信しているワイヤレス・ノードのことをいい、「送信ノード」という用語は、他のノードへ情報を送信しているワイヤレス・ノードのことをいう。そのような言及は、ワイヤレス・ノードが送信および受信機能の両方を実行することができないことを意味していない。各々のデータ・エレメント３１１、３２１は、ワイヤレス・ノード上で実行するアプリケーション、またはデータをソースするおよび／またはシンクすることができるある他の適切なデータ・ユニットであってもよい。事例として、ワイヤレス・ノードは、PDA上のeメールと同期するために第１のチャネル３１０上でアプリケーションを実行する、およびデジタル・オーディオ・プレイヤー（例えば、MP３プレイヤー）へ音楽ファイルを転送するために第２のチャネル３２０上で他のアプリケーションを実行するラップトップ・コンピュータ１０２（図１参照）であってもよい。
【００２１】
各々のチャネルはまた、メディア・アクセス・コントローラ（MAC）３１２、３２２を含む。これらは、MAC３１２、３２２のそれぞれのデータ・エレメント３１１、３２１にインターフェースする。各々のMAC３１２、３２２は、いくつかのチャネルが同じ物理的媒体上でサポートされることを可能にするチャネル・アクセス制御メカニズムを提供する。この事例において、各々のMAC３１２、３２２は、擬似ランダム雑音（PN）コード生成器３１３、３２３にそれぞれシードを提供する。各々のPNコード生成器３１３、３２３は、シードから擬似ランダムシーケンスを生成する。これは、それのそれぞれのチャネル３１０、３２０のスペクトルを拡散するために使用される。
【００２２】
各々のチャネルはまた、物理層において様々な信号処理機能を提供するよう構成される符号化器／復号器３１４、３２４を含む。事例として、各々のチャネル上の符号化器／復号器３１４、３２４は、順方向誤り訂正および信号座標マッピング機能を提供するために使用されることができる。これらの信号処理機能は、当該技術分野において周知であり、一般に、多元接続アプリケーションのため、または媒体上で送信される情報が破損され得る他の状況のためにワイヤレス・ノードにおいて提供される。
【００２３】
各々のチャネル３１０、３２０はまた、２値パルス位置（BPP）変調器／復調器３１５、３２５をそれぞれ含む。送信モードにおいて、各々の変調器３１５、３２５は、それのそれぞれの符号化器／復号器３１４、３２４からシンボル・ストリームを受信する。各々の変調器３１５、３２５は、各々のシンボル期間のためのフレームを生成し、次に、各々のフレームについて、シンボルの極性に基づいて、パルスがフレームの第１の半分において送信されるべきかまたは第２の半分において送信されるべきかを決定する。各々の変調器３１５、３２５はまた、それのそれぞれの擬似ランダムコード生成器３１３、３２３からの擬似ランダムシーケンスに基づいてパルスを送信するために半分のフレーム内のタイム・スロットを決定する。
【００２４】
後により詳細に説明されるように、チャネル選択器３３０は、両方のチャネルによって搬送される情報の衝突を回避しつつ、同時に、スループットを最大化するために１つまたは両方のチャネルを選択するように構成される。選択されたときに、選択されたチャネルをサポートする変調器３１５、３２５は、トランシーバ３４０へパルス位置情報を提供する。この情報に基づいて、トランシーバ３４０は、ワイヤレス媒体上の送信のためにパルスのシリーズを生成する。
【００２５】
受信モードにおいて、復調器３１５、３２５は、選択されたチャネルに関するパルス位置情報をトランシーバ３４０から受信する。送信ノードからチャネルを拡散するために使用される擬似ランダムシーケンスを生成するために使用されるシードは、チャネルが最初に確立されるときに、シグナリング・メッセージの交換を通して受信ノードによって事前に知られる。より詳細には、チャネルが送信ノードと受信ノードとの間で確立されるときに、送信ノードは、受信ノードにシードを送信する。シードは、トランシーバ３４０によって受信され、確立されているチャネルと接続されたPNコード生成器へ提供される。シードは、送信ノードにおけるPN生成器と同期するためにPNコード生成器によって使用される。いったん同期されると、選択されたチャネルに関するPNコード生成器３１３、３２３は、各々のフレームのためにそれらのそれぞれの復調器３１５、３２５へタイム・スロット情報を提供する。選択されたチャネルのための復調器３１５、３２５は、次に、各半分のフレームのための適切なタイム・スロットにおけるパルスについて検索することができる。選択されたチャネルのための復調器が、フレームの第１の半分の間に適切なタイム・スロットにおけるパルスを検出する場合、それは、それのそれぞれのデータ・ユニットへ「０」シンボルを提供する。反対に、選択されたチャネルのための復調器が、フレームの第２の半分の間に適切なタイム・スロットにおけるパルスを検出する場合、それは、それぞれのデータ・ユニットへ「１」シンボルを提供する。
【００２６】
以前に述べられたように、チャネル選択器３３０は、両方のチャネルによって搬送される情報の衝突を回避しつつ、同時に、スループットを最大化するために１つまたは両方のチャネルを選択するように構成される。フレーム内のパルスの位置により、受信ノードが、フレームの間に複数のチャネル上で情報を復号することができないときに「衝突」が生じる。この概念の一例は、図４を参照してこれから提示される。図４は、送信ノードと受信ノードとの間の２つのスペクトル拡散チャネルを例示するタイミング図である。この一例において、送信ノードは、受信ノードへパルスのシリーズを送信するために第１および第２のチャネル４０１、４０２を使用する。第１のチャネル４０１は、０００のシンボル・ストリームを表す、第１のフレーム４１０の第１の半分における第１のタイム・スロットT１を占有する第１のパルス４０１１、第２のフレーム４２０の第１の半分における第２のタイム・スロットT２を占有する第２のパルス４０１２、および第３のフレーム４３０の第１の半分における第３のタイム・スロットT３を占有する第３のパルス４０１３を有する。第２のチャネル４０２は、１０１のシンボル・ストリームを表す、第１のフレーム４１０の第２の半分において第４のタイム・スロットT４を占有する第１のパルス４０２１、第２のフレーム４２０の第１の半分における第２のタイム・スロットT２を占有する第２のパルス４０２２、および第３のフレーム４３０の第２の半分における第３のタイム・スロットT３を占有する第３のパルス４０２３を有する。以下でより詳細に説明されるように、受信ノードは、第３のフレーム４３０の間に送信ノードによって送信されるパルス４０１３、４０２３を復号することができないだろう。
【００２７】
受信ノードに関して図３および４を参照して、第１のチャネル３１０のための復調器３１５は、第１のフレーム４１０の第１および第２の半分の各々に関して第１のタイム・スロットT１の間にパルスについてリッスン(listen)し、第２のチャネル３２０のための復調器３２５は、フレーム４１０の第１および第２の半分の両方に関して第４のタイム・スロットT４の間にパルスについてリッスンする。したがって、第１および第２のチャネル３１０、３２０上の情報は、第１のフレーム４１０の間に衝突しないだろう。
【００２８】
第２のフレーム４２０の間に、チャネル３１０、３２０の両方のための復調器３１５、３２５は、フレーム４２０の第１および第２の半分の両方に関して第２のタイム・スロットT２の間にパルスについてリッスンする。しかしながら、この場合において、情報は、衝突しない。復調器３１５、３２５の両方は、第２のフレーム４２０の第１の半分に関する第２のタイム・スロットT２の間に、結合されたパルスのエネルギーを検出し、第２のフレーム４２０の第２の半分に関して第２のタイム・スロットT２の間に何も検出せず、および結果として、シンボルが「０」であることを決定することができる。
【００２９】
次に第３のフレーム４３０を考えて、両方のチャネル３１０、３２０のための復調器３１５、３２５は、フレーム４３０の第１および第２の半分の両方に関して第３のタイム・スロットT３の間にパルスについてリッスンする。ここで、復調器３１５、３２５は、フレーム４３０の第１および第２の半分の両方においてパルスを検出する。したがって、シンボルが「１」であるかまたは「０」であるかを決定することができない。
【００３０】
送信ノードにおけるチャネル選択器３３０は、送信に先立って各々のフレームについて衝突が生じるかどうかを決定するように構成されることができる。上で述べられた事例において、チャネル選択器３３０は、変調器３１５、３２５から受信する情報から第３のフレーム４３０において衝突が生じることを決定する。この決定に基づいて、送信ノードにおけるチャネル選択器３３０は、送信するために２つのチャネルのうちの１つを選択するだろう。事例として、チャネル選択器３３０は、第３のフレーム４３０の間に受信ノードへパルス４０１３を送信するために第１のチャネル４０１を使用することを選ぶことができ、および第２のチャネル４０２上の送信のためにスケジュールされていたパルス４０２３を破棄するか、または後続のフレームの間にそれを送信するかのいずれかを行うことができる。代替的に、チャネル選択器３３０は、第３のフレーム４３０の間に受信ノードへパルス４０２３を送信するために第２のチャネル４０２を使用することを選ぶことができ、その上、第１のチャネル４０１上の送信のためにスケジュールされていたパルス４０１３を破棄するか、または後続のフレームの間にそれを送信するかのいずれかを行うことができる。
【００３１】
チャネル選択の特徴はまた、同じフレームの間に１つのチャネル上でパルスを送信し、他のチャネル上でパルスを受信するワイヤレス・ノードによって採用されることができる。図３および４を参照して、ワイヤレス・ノードは、第１のチャネル４０１上でパルスのシリーズを送信し、および第２のチャネル４０２上でパルスのシリーズを受信するようにスケジュールされることができる。これらの条件の下で、復調器３２５は、第３のフレーム４３０の第１および第２の半分の両方に関して第３のタイム・スロットT３の間にパルスについてリッスンし得る。復調器３２５は、トランシーバ３４０を通じた送信漏洩(transmission leakage)のため第３のフレーム４３０の第１の半分の第３のタイム・スロットT３においてパルス４０１３を検出し、第３のフレーム４３０の第２の半分の第３のタイム・スロットT３において他のワイヤレス・ノードからのパルス４０２３も検出するだろう。その結果、復調器３２５は、他のワイヤレス・ノードから受信されたシンボルが「１」であったかまたは「０」であったかを決定することができないだろう。この衝突状況を回避するために、チャネル選択器３３０は、第３のフレーム４３０の間に、パルスを送信するために第１のチャネル４０１またはパルスを受信するために第２のチャネル４０２のいずれかを選択するように構成されていてもよい。
【００３２】
衝突を回避するためにチャネル選択器３３０によって使用される選択基準は、次のものには制限されないが、特定のアプリケーションおよびシステム全体に対して課される全体的な設計の制約を含む任意の数の要因に依存して変化し得る。事例として、ワイヤレス・ノードがフレームの間に第１のチャネル３１０上で送信し、同じフレームの間に第２のチャネル３２０上で受信するようにスケジュールされる場合、チャネル選択器３３０は、両方のチャネル上の情報の衝突を回避するために第１のチャネル３１０を選択することを決定し得る。
【００３３】
チャネル選択器３３０は、ワイヤレス・ノードが両方のチャネル３１０、３２０上で送信するようにスケジュールされる場合に、衝突を回避するために他の選択基準を使用し得る。事例として、チャネル選択器３３０は、最高のサービス品質（QoS）要求または最高の優先順位をともなうチャネルを選択することができる。音声があるチャネル上で送信されており、データが他のチャネル上で送信されている場合、選択しなければ、チャネルに関する擬似ランダムシーケンスにより衝突が生じ得るときには、チャネル選択器３３０は、音声を搬送するチャネルを選ぶことができる。肯定応答を送信ノードに送信し戻すためにチャネルが使用されるときに、そのチャネルは、チャネル選択器３３０によって選択されることができる。ワイヤレス・ノードの１つの構成において、チャネル選択器３３０は、公平基準(fairness criterion)に基づいてチャネルを選択するように構成されることができる。公平基準は、各々のチャネルに媒体への等しいアクセスを提供しようとしてチャネル選択器３３０による以前の決定を考慮するアルゴリズムによって実装されることができる。
【００３４】
処理システム３００は、電子的ハードウェア、コンピュータ・ソフトウェア、またはそれらの両方の組み合わせとして実装されることができる。ハードウェアとソフトウェアのこの互換性を例示するために、処理システム３００は、一般にそれらの機能性の観点から上で説明されている。そのような機能性がハードウェアまたはソフトウェアとして実装されるかどうかは、全体のシステム上に課される特定のアプリケーションおよび設計の制約による。当業者は、各々の特定のアプリケーションのために多様な方法で、記述された機能性を実装することができる。
【００３５】
事例として、かつ制限によらずに、処理システム３００は、１つまたは複数のプロセッサにより実装されることができる。プロセッサは、汎用目的または特殊目的プロセッサであってもよい。事例は、マイクロプロセッサ、マイクロコントローラ、デジタル信号プロセッサ（DSP）、特定用途集積回路（ASIC）、フィールド・プログラマブル・ゲート・アレー（FPGA）、プログラマブル論理デバイス（PLD）、コントローラ、状態マシン、ゲート制御された論理、離散ハードウェア・コンポーネント、または任意の他の処理回路であって、本開示の全体にわたって説明された様々な機能性を実装することができる処理回路を含む。
【００３６】
プロセッサはソフトウェアを実行するように構成されることができる。ソフトウェアを実行することができるプロセッサの事例は、機械可読媒体上のソフトウェアにアクセスすることができるマイクロプロセッサ、外部のバス・アーキテクチャを通って他のサポート回路ですべていっしょにリンクされている、単一のチップに統合されたサポート回路および組み込まれたソフトウェアを備えるASIC、またはいくつかの他のソフトウェアベースのプロセッサ・アーキテクチャを含む。
【００３７】
ソフトウェアは、ソフトウェア、ファームウェア、ミドルウェア、マイクロコード、ハードウェア記述言語、または違った風に呼ばれていようと、命令、データ、またはそれらのものの任意の組み合わせを意味するよう広く構成されるべきである。機械可読媒体は、事例として、RAM（ランダム・アクセス・メモリ）、フラッシュ・メモリ、ROM（読み出し専用メモリ）、PROM（プログラマブル読み出し専用メモリ）、EPROM（消去可能専用メモリ）、EEPROM（電気的に消去可能プログラマブル読み出し専用メモリ）、レジスタ、磁気ディスク、光ディスク、ハード・ドライブ、または任意の他の適切な記録媒体、またはそれらのものの任意の組み合わせを含むことができる。
【００３８】
機械可読媒体は、処理システム３０５の１部であってもよい。代替的に、機械可読媒体の任意の部分は、処理システム３００の外部にあってもよい。事例として、機械可読媒体は、送信ライン、データによって変調された搬送波形、および／または処理システム３００またはワイヤレス・ノードから分離したコンピュータ・プロダクトを含むことができる。それらのすべては、トランシーバ３４０を通じたプロセッサ・システム３００によって、または他の手段によってアクセスされることができる。
【００３９】
機械可読媒体によってサポートされるソフトウェアは、単一の記録デバイスに存在することができ、または複数のメモリ・デバイスにわたって分散される。事例として、ソフトウェアは、ハード・ドライブからRAMにロードされることができる。ソフトウェアの実行の間に、プロセッサは、アクセス速度を上げるために、いくつかの命令をキャッシュ内にロードすることができる。１つまたは複数のキャッシュラインは、次に、プロセッサによる実行のために汎用レジスタ・ファイルにロードされることができる。ソフトウェアの機能性を参照する場合に、ソフトウェア命令を実行するときにそのような機能性が、プロセッサによって実装されることが理解されるだろう。
【００４０】
図５は、ワイヤレス・ノードの機能性の一例を例示する概念図である。この事例において、ワイヤレス・ノード５００は、第１および第２のスペクトル拡散チャネルをサポートするためのモジュール５０２を含み、第１および第２のチャネルの各々は、異なる擬似ランダムシーケンスに基づいている。ワイヤレス・ノード５００はまた、選択しなければ、それらの擬似ランダムシーケンスに基づいて生じ得る情報の衝突を回避するために通信のための第１および第２のチャネルのうちの１つを選択するためのモジュール５０４を含む。
【００４１】
開示されたプロセスにおけるステップの特定の順序または階層は、典型的なアプローチの例示であることが理解される。設計の選好に基づいて、プロセスにおけるステップの特定の順序または階層は、再調整されることができることが理解される。付随の方法クレームは、サンプルの順序における様々なステップのエレメントを表し、提示される特定の順序または階層に制限されるよう意図されない。
【００４２】
以前の説明は、本明細書において説明される様々な態様を当業者の誰もが実施することを可能にするために提供される。これらの態様に対する様々な修正は、当業者に直ちに明白になり、本明細書において定義された一般原則は、他の態様に適用されることができる。したがって、特許請求の範囲は、本明細書において示される態様に制限されるよう意図されないが、特許請求の範囲の用語と一貫した全範囲と一致されるべきである。ここにおいて、単数形でのエレメントの言及は、とりわけそのように述べられない限り「１つまたは複数」ではなくむしろ「１つおよび１つだけ」を意味するよう意図されない。とりわけ明確に述べられない限り、用語「いくつか(some)」は、１つまたは複数のことをいう。男性の代名詞（例えば、彼の(his)）は、女性および中性の性別（例えば、彼女の(her)およびそれの(its)）を含み、逆もまた同じである。当業者に既知のまたは後に既知となる本開示の全体にわたって説明される様々な態様のエレメントと構造的および機能的なすべての同等物は、参照によって本明細書に明白に組み込まれ、特許請求の範囲によって包含されるよう意図される。さらに、本明細書において開示されている何れのものは、そのような開示が特許請求の範囲に明白に記載されているかどうかに関係なく公に捧げられるようには意図されていない。フレーズ「ための手段」を使用してエレメントが明白に記載され、または方法クレームの場合において、エレメントがフレーズ「のためのステップ」を使用して記載されていない限り、請求項のエレメントは、３５ U.S.C. §１１２の第６段落の規定のもとで解釈されない。
以下に、本願出願の当初の特許請求の範囲に記載された発明を付記する。
［付記１］
通信のための装置であって、
第１および第２のスペクトル拡散チャネルをサポートするように構成される処理システムと、前記第１および第２のチャネルの各々は、異なる擬似ランダムシーケンスに基づき、ここにおいて、前記処理システムは、選択しなければ、それらの擬似ランダムシーケンスに基づいて生じ得る情報の衝突を回避するために通信のための前記第１および第２のチャネルのうちの１つを選択するようにさらに構成される、を具備する装置。
［付記２］
前記処理システムは、前記第１および第２のチャネルの前記スペクトルを拡散するために周波数ホッピングを使用するようにさらに構成されており、前記第１および第２のチャネルの各々に関する前記周波数ホッピングは、それのそれぞれの擬似ランダムシーケンスに基づく、付記１に記載の装置。
［付記３］
前記処理システムは、前記第１および第２のチャネルの前記スペクトルを拡散するためにタイム・ホッピングを使用するようにさらに構成されており、前記第１および第２のチャネルの各々に関する前記タイム・ホッピングは、それのそれぞれの擬似ランダムシーケンスに基づく、付記１に記載の装置。
［付記４］
前記処理システムは、前記第１および第２のチャネルの前記スペクトルを拡散するために２値パルス位置変調によるタイム・ホッピングを使用するようにさらに構成される、付記３に記載の装置。
［付記５］
前記処理システムは、前記第１のチャネルが送信するようにスケジュールされ、前記第２のチャネルが受信するようにスケジュールされている場合、選択しなければ、前記第１および第２のチャネル上の前記情報が衝突するときには、前記第１のチャネルを選択するようにさらに構成されている、付記１に記載の装置。
［付記６］
前記処理システムは、前記第１のチャネルが前記第２のチャネルよりも高いサービス品質要求を有する場合、前記第１のチャネルを選択するようにさらに構成される、付記１に記載の装置。
［付記７］
前記処理システムは、前記第１のチャネルが音声を含み、前記第２のチャネルがデータを含む場合、選択しなければ、前記第１および第２のチャネル上の前記情報が衝突し得るときには、前記第１のチャネルを選択するようにさらに構成される、付記１に記載の装置。
［付記８］
前記処理システムは、前記第１のチャネルが送信の肯定応答を含み、前記第２のチャネルが送信の肯定応答を含まない場合、前記第１のチャネルを選択するようにさらに構成される、付記１に記載の装置。
［付記９］
前記処理システムは、少なくとも１つの公平基準に基づいて前記第１および第２のチャネルのうちの前記１つを選択するようにさらに構成される、付記１に記載の装置。
［付記１０］
前記処理システムは、前記第１のチャネルが前記第２のチャネルより高い優先順位を有する場合、前記第１のチャネルを選択するようにさらに構成される、付記１に記載の装置。
［付記１１］
前記処理システムは、前記第１のチャネルをランダムに選択するようにさらに構成される、付記１に記載の装置。
［付記１２］
通信のための方法であって、
第１および第２のスペクトル拡散チャネルをサポートすることと、前記第１および第２のチャネルの各々は、異なる擬似ランダムシーケンスに基づき、および
選択しなければ、それらの擬似ランダムシーケンスに基づいて生じ得る情報の衝突を回避するために通信のための前記第１および第２のチャネルのうちの１つを選択することと、
を具備する方法。
［付記１３］
前記第１および第２のチャネルの前記スペクトルを拡散するために周波数ホッピングを使用することをさらに具備し、前記第１および第２のチャネルの各々に関する前記周波数ホッピングは、それのそれぞれの擬似ランダムシーケンスに基づく、付記１２に記載の方法。
［付記１４］
前記第１および第２のチャネルの前記スペクトルを拡散するためにタイム・ホッピングを使用することをさらに具備し、前記第１および第２のチャネルの各々に関する前記タイム・ホッピングは、それのそれぞれの擬似ランダムシーケンスに基づく、付記１２に記載の方法。
［付記１５］
タイム・ホッピングは、前記第１および第２のチャネルの前記スペクトルを拡散するために２値パルス位置変調により使用される、付記１４に記載の方法。
［付記１６］
前記第１のチャネルが送信するようにスケジュールされ、前記第２のチャネルが受信するようにスケジュールされている場合、選択しなければ、前記第１および第２のチャネル上の前記情報が衝突し得るときに、前記第１のチャネルが選択される、付記１２に記載の方法。
［付記１７］
前記第１のチャネルが前記第２のチャネルよりも高いサービス品質要求を有する場合、前記第１のチャネルが選択される、付記１２に記載の方法。
［付記１８］
前記第１のチャネルが音声を含み、前記第２のチャネルがデータを含む場合、選択しなければ、前記第１および第２のチャネル上の前記情報が衝突し得るときに、前記第１のチャネルが選択される、付記１２に記載の方法。
［付記１９］
前記第１のチャネルが送信の肯定応答を含み、前記第２のチャネルが送信の肯定応答を含まない場合、前記第１のチャネルが選択される、付記１２に記載の方法。
［付記２０］
前記第１および第２のチャネルのうちの前記１つは、少なくとも１つの公平基準に基づいて選択される、付記１２に記載の方法。
［付記２１］
前記第１のチャネルが前記第２のチャネルより高い優先順位を有する場合、前記第１のチャネルが選択される、付記１２に記載の方法。
［付記２２］
前記第１のチャネルは、ランダムに選択される、付記１２に記載の方法。
［付記２３］
通信のための装置であって、
第１および第２のスペクトル拡散チャネルをサポートするための手段と、前記第１および第２のチャネルの各々は、異なる擬似ランダムシーケンスに基づき、および
選択しなければ、それらの擬似ランダムシーケンスに基づいて生じ得る情報の衝突を回避するために通信のための前記第１および第２のチャネルのうちの１つを選択するための手段と
を具備する装置。
［付記２４］
第１および第２のスペクトル拡散チャネルをサポートするための前記手段は、前記第１および第２のチャネルの前記スペクトルを拡散するために周波数ホッピングを使用するように構成され、前記第１および第２のチャネルの各々に関する前記周波数ホッピングは、それのそれぞれの擬似ランダムシーケンスに基づく、付記２３に記載の装置。
［付記２５］
第１および第２のスペクトル拡散チャネルをサポートするための前記手段は、前記第１および第２のチャネルの前記スペクトルを拡散するためにタイム・ホッピングを使用するように構成され、前記第１および第２のチャネルの各々に関する前記タイム・ホッピングは、それのそれぞれの擬似ランダムシーケンスに基づく、付記２３に記載の装置。
［付記２６］
第１および第２のスペクトル拡散チャネルをサポートするための前記手段は、前記第１および第２のチャネルの前記スペクトルを拡散するために２値パルス位置変調によるタイム・ホッピングを使用するようにさらに構成される、付記２５に記載の装置。
［付記２７］
前記第１および第２のチャネルのうちの１つを選択するための前記手段は、前記第１のチャネルが、送信するようにスケジュールされ、前記第２のチャネルが、受信するようにスケジュールされている場合、選択しなければ、前記第１および第２のチャネル上の前記情報が衝突し得るときには、前記第１のチャネルを選択するように構成される、付記２３に記載の装置。
［付記２８］
前記第１および第２のチャネルのうちの１つを選択するための前記手段は、前記第１のチャネルが前記第２のチャネルよりも高いサービス品質要求を有する場合、前記第１のチャネルを選択するように構成される、付記２３に記載の装置。
［付記２９］
前記第１および第２のチャネルのうちの１つを選択するための前記手段は、前記第１のチャネルが音声を含み、前記第２のチャネルがデータを含む場合、選択しなければ、前記第１および第２のチャネル上の前記情報が衝突し得るときには、前記第１のチャネルを選択するように構成される、付記２３に記載の装置。
［付記３０］
前記第１および第２のチャネルのうちの１つを選択するための前記手段は、前記第１のチャネルが送信の肯定応答を含み、および前記第２のチャネルが送信の肯定応答を含まない場合、前記第１のチャネルを選択するように構成される、付記２３に記載の装置。
［付記３１］
前記第１および第２のチャネルのうちの１つを選択するための前記手段は、少なくとも１つの公平基準に基づいて前記第１および第２のチャネルのうちの前記１つを選択するように構成される、付記２３に記載の装置。
［付記３２］
前記第１および第２のチャネルのうちの１つを選択するための前記手段は、前記第１のチャネルが前記第２のチャネルよりも高い優先順位を有する場合、前記第１のチャネルを選択するように構成される、付記２３に記載の装置。
［付記３３］
前記第１および第２のチャネルのうちの１つを選択するための手段は、前記第１のチャネルをランダムに選択するように構成される、付記２３に記載の装置。
［付記３４］
ワイヤレス通信のためのコンピュータ・プログラム・プロダクトであって、
第１および第２のスペクトル拡散チャネルをサポートすることと、前記第１および第２のチャネルの各々は、異なる擬似ランダムシーケンスに基づき、および
選択しなければ、それらの擬似ランダムシーケンスに基づいて生じ得る情報の衝突を回避するために通信のための前記第１および第２のチャネルのうちの１つを選択することと
を少なくとも１つのプロセッサによって実行可能であるコードを具備するコンピュータ可読媒体を具備する、コンピュータ・プログラム・プロダクト。
［付記３５］
第１および第２のスペクトル拡散チャネルをサポートするように構成される処理システムと、前記第１および第２のチャネルの各々は、異なる擬似ランダムシーケンスに基づき、ここにおいて、前記処理システムは、選択しなければ、それらの擬似ランダムシーケンスに基づいて生じ得る情報の衝突を回避するために通信のための前記第１および第２のチャネルのうちの１つを選択するようにさらに構成され、および
前記第１および第２のチャネルのうちの少なくとも１つからの情報に基づいてオーディオ出力を提供するように構成されるトランスデューサと
を具備するヘッドセット。
［付記３６］
第１および第２のスペクトル拡散チャネルをサポートするように構成される処理システムと、前記第１および第２のスペクトル拡散チャネルの各々は、異なる擬似ランダムシーケンスに基づき、ここにおいて、前記処理システムは、選択しなければ、それらの擬似ランダムシーケンスに基づいて生じ得る情報の衝突を回避するために通信のための前記第１および第２のチャネルのうちの１つを選択するようにさらに構成され、および
前記第１および第２のチャネルのうちの少なくとも１つからの情報に基づいて指示を提供するように構成されるユーザ・インターフェースと
を具備する時計。
［付記３７］
ワイヤレス通信のためのセンシング・デバイスであって、
第１および第２のスペクトル拡散チャネルをサポートするように構成される処理システムと、前記第１および第２のチャネルの各々は、異なる擬似ランダムシーケンスに基づき、ここにおいて、前記処理システムは、選択しなければ、それらの擬似ランダムシーケンスに基づいて生じ得る情報の衝突を回避するために通信のための前記第１および第２のチャネルのうちの１つを選択するようにさらに構成され、および
前記第１および第２のチャネルのうちの少なくとも１つへ情報を提供するように構成されるセンサと
を具備する、センシング・デバイス。
【図１】
0005313364.tif 000002
【図２】
0005313364.tif 000003
【図３】
0005313364.tif 000004
【図４】
0005313364.tif 000005
【図５】
0005313364.tif 000006